(57)【要約】【課題】静止画像の記録指示がなされた時点より以前に出力された動画像であって、繰り返し再生ができない動画像の中から所望の静止画像を抽出すること。【解決手段】静止画像抽出部２０１は、計時部２０３が所定時間間隔で出力する計時信号に基づいて、入力された動画像を元に所定間隔で静止画像を抽出して所定数を上限として更新的にＲＡＭ７０に記憶する。また静止画像抽出部２０１は、静止画像抽出を要求する操作キー押下に応じて静止画像を抽出してＲＡＭ７０に記憶し、その後も計時部２０３が所定時間間隔で出力する計時信号に基づいて、静止画像を抽出して所定数を上限としてＲＡＭ７０に記憶する。さらに静止画像抽出部２０１は、静止画像抽出を要求する操作キー押下の前後に抽出した複数の静止画像を選択可能に提示する画面の生成をＯＳＤ生成部２０２に要求し、この画面によって選択された静止画像をフラッシュメモリ７１に記憶する。【選択図】  図２
2010239213.tif 000002
【特許請求の範囲】
【請求項１】
放送によって現在提供される動画像を表示のために出力する動画像出力手段と、
前記動画像出力手段が出力する前記動画像に基づいて、所定間隔で周期的に静止画像を抽出する周期抽出手段と、
ユーザによる任意の静止画像の抽出指示を受ける指示手段と、
前記指示手段が前記抽出指示を受けたときに、前記動画像出力手段が出力する前記動画像に基づいて前記任意の静止画像を抽出する抽出手段と、
前記周期抽出手段および前記抽出手段が抽出した複数の静止画像を提示して、この提示した前記複数の静止画像の中から特定の静止画像を選択することをユーザに許可する提示手段と、
前記提示手段が提示した前記複数の静止画像から選択された前記特定の静止画像のデータを記憶する記憶手段と、
前記記憶手段が記憶した前記特定の静止画像を表示のために出力する静止画像出力手段と、
を具備することを特徴とする画像抽出装置。
【請求項２】
前記周期抽出手段は、前記抽出手段が抽出した後にも周期的に前記静止画像を抽出することを特徴とする請求項１記載の画像抽出装置。
【請求項３】
前記周期抽出手段は、前記抽出手段が抽出した前記任意の静止画像の前後に抽出した複数の静止画像を保持しておくことを特徴とする請求項１記載の画像抽出装置。
【請求項４】
前記提示手段は、前記抽出手段が抽出した前記任意の静止画像の前および又は後の静止画像であって、前記周期抽出手段が抽出した前記静止画像の中の所定数の静止画像を提示することを特徴とする請求項１記載の画像抽出装置。
【請求項５】
前記所定間隔の値および又は前記所定数の値は、それぞれの値を変更することをユーザに許可することを特徴とする請求項４記載の画像抽出装置。
【請求項６】
放送によって現在提供される動画像を表示のために出力し、
前記動画像に基づいて所定間隔で周期的に静止画像を抽出し、
ユーザによる任意の静止画像の抽出指示を受け、
前記抽出指示を受けたときに、前記動画像に基づいて前記任意の静止画像を抽出し、
前記周期的に、または、前記抽出指示を受けたときに抽出した複数の静止画像を提示して、この提示した前記複数の静止画像の中から特定の静止画像を選択することをユーザに許可し、
前記提示した複数の静止画像から選択された前記特定の静止画像のデータを記憶し、
前記記憶した特定の静止画像を表示のために出力する、
ことを特徴とする画像抽出方法。
【発明の詳細な説明】
【技術分野】
【０００１】
本発明は、出力された動画像から任意の静止画像を抽出する画像抽出装置および画像抽出方法に関する。
【背景技術】
【０００２】
近年、テレビジョン受像機の多機能化が進み、外部接続された記憶媒体などに保存された静止画像を表示するフォトビューア機能を備えたテレビジョン受像機が普及している。さらに静止画像を表示する他の機能である、フォトフレーム機能をテレビジョン受像機に予め与えることが提案されている。
【０００３】
そして、この提案に係るテレビジョン受像機は、テレビジョン受像器の製造時に少なくとも１枚の静止画像のデータが予め内部メモリに格納され、この静止画像を呼び出して表示し続けるフォトフレーム機能を有する。しかし、製造者側が用意した静止画像のみでなく、ユーザの嗜好に応じた、例えば動画像から抽出した任意の静止画像を表示し続けることができることが要望されている。ところが、出力している動画像を見ながら所望の静止画像を抽出することは容易ではない。
【０００４】
例えば、特許文献１によれば、動画像の再生中に静止画像の記録指示がなされた時に、記録指示入力時に表示された動画像を含む前後所定範囲内の動画像データから、静止画像データを作成する手法が公開されている。
【先行技術文献】
【特許文献】
【０００５】
【特許文献１】特開２００５−８００６０号公報（図３  段落００５４）
【発明の概要】
【発明が解決しようとする課題】
【０００６】
しかし特許文献１では、静止画像データの作成対象の動画像データは録画（記録）された動画像データであったので、静止画像の記録指示がなされた時点より以前に再生された動画像データから静止画像データを作成することは容易に可能であった。すなわち、例えば放送中の番組のように、静止画像の取り込み指示がなされた時点より以前に出力された動画像であって、繰り返し再生ができない動画像の中から所望の静止画像を抽出することはできなかった。
【０００７】
そこで、本発明は上述した課題を解決するために、静止画像の取り込み指示がなされた時点より以前に出力された動画像であって、繰り返し再生ができない動画像の中から所望の静止画像を抽出することができる画像抽出装置および画像抽出方法を提供することを目的とする。
【課題を解決するための手段】
【０００８】
本発明は上述した課題を解決するため、放送によって現在提供される動画像を表示のために出力する動画像出力手段と、前記動画像出力手段が出力する前記動画像に基づいて、所定間隔で周期的に静止画像を抽出する周期抽出手段と、ユーザによる任意の静止画像の抽出指示を受ける指示手段と、前記指示手段が前記抽出指示を受けたときに、前記動画像出力手段が出力する前記動画像に基づいて前記任意の静止画像を抽出する抽出手段と、前記周期抽出手段および前記抽出手段が抽出した複数の静止画像を提示して、この提示した前記複数の静止画像の中から特定の静止画像を選択することをユーザに許可する提示手段と、前記提示手段が提示した前記複数の静止画像から選択された前記特定の静止画像のデータを記憶する記憶手段と、前記記憶手段が記憶した前記特定の静止画像を表示のために出力する静止画像出力手段と、を具備することを特徴とするものである。
【０００９】
また本発明は上述した課題を解決するため、放送によって現在提供される動画像を表示のために出力し、前記動画像に基づいて所定間隔で周期的に静止画像を抽出し、ユーザによる任意の静止画像の抽出指示を受け、前記抽出指示を受けたときに、前記動画像に基づいて前記任意の静止画像を抽出し、前記周期的に、または、前記抽出指示を受けたときに抽出した複数の静止画像を提示して、この提示した前記複数の静止画像の中から特定の静止画像を選択することをユーザに許可し、前記提示した複数の静止画像から選択された前記特定の静止画像のデータを記憶し、前記記憶した特定の静止画像を表示のために出力する、ことを特徴とするものである。
【発明の効果】
【００１０】
本発明によれば、静止画像の取り込み指示がなされた時点より以前に出力された動画像であって、繰り返し再生ができない動画像の中から所望の静止画像を抽出することができる。
【図面の簡単な説明】
【００１１】
【図１】本発明の実施形態に係る画像抽出装置であるテレビジョン受像機の構成を示すブロック図。
【図２】動画像から静止画像を抽出する処理、および、提示された複数の静止画像から任意の静止画像を選択する処理の一実施形態を説明するためのブロック図。
【図３】リモコンに設けられる複数の操作キーを示す図。
【図４】動画像から静止画像を抽出する処理、および、提示された複数の静止画像から任意の静止画像を選択する処理のフローチャート。
【図５】図４で説明した動画像から静止画像を抽出する処理、および、提示された複数の静止画像から任意の静止画像を選択する処理の概念的なタイムチャート。
【図６】一時記憶された複数枚の静止画像を選択可能に表示する画面の一実施形態を示す図。
【図７】登録された静止画像をフォトフレーム機能として表示する処理のフローチャート。
【発明を実施するための形態】
【００１２】
以下、本発明における実施形態について図面を用いて説明する。
図１は、本発明の実施形態に係る画像抽出装置であるテレビジョン受像機の構成を示すブロック図である。なお本実施形態では画像抽出装置をテレビジョン受像機に適用した例を示すが、本実施形態と同様の構成を備えたＨＤＤレコーダ、ＤＶＤレコーダ、情報処理端末、携帯移動端末などであってもよい。またさらには、ラジオ放送やインターネット等を用いた有線放送などを受信する放送受信装置である、例えばセットトップボックスなどであってもよい。
【００１３】
テレビジョン受像機１０は、放送波処理部２０、外部信号入力部２１、操作部３１、受光部３２、信号処理制御部４０、ネットワークＩＦ部５１、外部機器ＩＦ部５２、表示器６１、スピーカ６２、ＲＡＭ７０、フラッシュメモリ７１などで構成されている。
【００１４】
放送波処理部２０は、アンテナＡＴによって受信されたデジタル放送波やアナログ放送波の信号を取得して、この取得した信号に対して特定チャンネルの選局および復調復号処理を施し、映像音声データやＥＰＧを作成するためのデータなどを信号処理制御部４０に出力する。本実施形態では放送波処理部２０は、デジタル放送波やアナログ放送波の特定チャンネルの番組などの映像データを信号処理制御部４０へ出力する。
【００１５】
外部信号入力部２１は、映像音声データ（信号）を出力する外部機器に接続し、この接続した外部機器から入力される番組などの映像音声データ（信号）に対して所定の処理を施して、信号処理制御部４０へ出力する。本実施形態では外部信号入力部２１は、外部機器から入力される番組などの映像データ（信号）を信号処理制御部４０へ出力する。
【００１６】
ネットワークＩＦ部５１は、インターネットやＬＡＮ、ＷＡＮなどによりネットワークに接続し、この接続したネットワークを介して提供される番組などの映像音声データやＥＰＧを作成するためのデータなどを取得して信号処理制御部４０へ出力する。またネットワークＩＦ部５１は、ＬＡＮなどにより外部ＨＤＤやメモリーカードなどの記録媒体に接続して、番組などの映像音声データをやりとりする。本実施形態ではネットワークＩＦ部５１は、接続したネットワークを介して提供される番組などの映像データを取得して信号制御処理部４０へ出力する。
【００１７】
外部機器ＩＦ部５２は、ＵＳＢ規格やｉ．ＬＩＮＫ規格などの規格に基づいた接続部により外部装置に接続し、この接続した外部機器から提供される番組などの映像音声データやＥＰＧを作成するためのデータなどを取得して信号処理制御部４０へ出力する。
【００１８】
また外部機器ＩＦ部５２は、ＵＳＢやｉ．ＬＩＮＫなどにより外部ＨＤＤやメモリーカードなどの記録媒体に接続して、番組などの映像音声データをやりとりする。
本実施形態では外部機器ＩＦ部５２は、接続した外部機器から提供される番組などの映像データを取得して信号制御処理部４０へ出力する。
操作部３１は、装置を操作する操作入力の情報を受信する。同様に受光部３２は、リモコンＲＣからの操作入力の情報を受光（受信）する。本実施形態では操作部３１または受光部３２は、表示器６１に表示された動画像から任意の静止画像を抽出する操作入力や、表示器６１に選択可能に提示された複数の静止画像の中から、登録対象の静止画像を選択する操作入力の情報を受信する。
【００１９】
信号処理制御部４０は、放送波処理部２０や外部信号入力部２１、ネットワークＩＦ部５１、外部機器ＩＦ部５２などから入力された信号に対して、ＭＰＥＧ符号化／復号化演算処理や、映像信号と音声信号の分離処理、入力信号からのデータ抽出処理、または圧縮された信号の解凍処理などを施して表示器６１へ映像信号を出力し、スピーカ６２へ音声信号を出力する。
【００２０】
また信号処理制御部４０は、表示器６１に表示された動画像から静止画像を抽出する処理や、グラフィックユーザインターフェース部品としてのＯＳＤを生成する処理、フォトフレーム機能として特定の静止画像を表示器６１に所定時間の間、表示し続ける処理などを行う。なお、信号処理制御部４０はＣＰＵを備えていて、自身に備えられた各ブロックや自身に接続された各ブロックを利用して複数の処理の実行を制御する。
【００２１】
本実施形態では信号処理制御部４０は、放送波処理部２０や外部信号入力部２１、ネットワークＩＦ部５１、外部機器ＩＦ部５２などから入力されて表示器６１に表示された番組などの動画像から静止画像を抽出して、この抽出した静止画像のデータをＲＡＭ７０やフラッシュメモリ７１に記録してフォトフレーム機能として表示するために利用する。
【００２２】
表示器６１は、信号処理制御部４０から入力された映像信号により動画像を表示する表示モジュールであって、例えばＬＣＤ（Liquid  Crystal  Display）などの薄型ディスプレイである。本実施形態では表示器６１は、放送波処理部２０や外部信号入力部２１、ネットワークＩＦ部５１、外部機器ＩＦ部５２などから入力された番組などの映像データによる動画像や、複数の静止画像を選択可能に提示するＯＳＤ、フォトフレーム機能としての特定の静止画などを表示する。
【００２３】
スピーカ６２は、信号処理制御部４０から入力された音声信号を出力する。
ＲＡＭ７０は、信号処理制御部４０が備えるＣＰＵの演算用メモリまたは一時記憶用メモリである。本実施形態ではＲＡＭ７０は、信号処理制御部４０に入力されて表示器６１に表示された番組などの動画像から抽出された静止画像のデータを一時的に記憶するために用いられる。
【００２４】
フラッシュメモリ７１は、信号処理制御部４０がＲＡＭ７０に一時的に記憶した静止画像のデータを、フォトフレーム機能として表示するために記憶／読出しを行うための不揮発性メモリである。またフラッシュメモリ７１は、信号処理制御部４０が備えるＣＰＵによって実行されるプログラムを記憶する。本実施形態ではフラッシュメモリ７１は、表示器６１に選択可能に提示された複数の静止画像の中から、操作部３１またはリモコンＲＣによって選択された静止画像のデータを記憶するために用いられる。またさらに、フラッシュメモリ７１は、記憶した静止画像のデータをフォトフレーム機能として表示するために読み出される。
【００２５】
なおＲＡＭ７０およびフラッシュメモリ７１は、信号処理制御部４０の内部に備えられる実施形態であってもよい。
すなわち本発明の実施形態に係る画像抽出装置であるテレビジョン受像機１０は、以上の構成により、番組などの動画像の任意のシーンを表示している状態で静止画像を抽出する操作入力を受信すると、複数の静止画像を選択可能に提示して、この提示した複数の静止画像から選択された静止画像をフォトフレーム機能として表示するために記憶する。なお、これらの処理は主に、操作部３１やリモコンＲＣに備えられた複数のボタンが押下されることで発せられる操作入力の情報を受信した信号処理制御部４０によって実行されるものである。
【００２６】
次に図２を用いて、テレビジョン受像機１０が備える信号処理制御部４０によって実行される複数の処理を説明する。
図２は、動画像から静止画像を抽出する処理、および、提示された複数の静止画像から任意の静止画像を選択する処理の一実施形態を説明するためのブロック図である。
【００２７】
信号処理制御部４０は、静止画像抽出部２０１、ＯＳＤ生成部２０２、計時部２０３などで構成される。
静止画像抽出部２０１は、放送波処理部２０や外部信号入力部２１、ネットワークＩＦ部５１、外部機器ＩＦ部５２などから入力されて、表示器６１で表示している番組などの動画像を同時に取得する。そして静止画像抽出部２０１は、取得した動画像から計時部２０３が所定時間毎に出力する計時信号に基づいて静止画像を抽出して、この抽出した静止画像のデータをＲＡＭ７０に出力（記憶）する。また静止画像抽出部２０１は、この抽出した静止画像をＲＡＭ７０で所定数だけ記憶するように管理し、すなわち、抽出した静止画像の数量が所定数を超えた場合は、最も前に出力した静止画像のデータを消去（破棄）する。
【００２８】
さらに静止画像抽出部２０１は、操作部３１またはリモコンＲＣに設けられたキー（ボタン）により静止画像を取得する操作入力の情報を受信すると、新たな静止画像を抽出して、この抽出した新たな静止画像のデータをＲＡＭ７０に追加的に出力（記憶）する。なお、静止画像取得の操作入力情報の受信よりも前に、計時信号に応じて抽出してＲＡＭ７０に記憶した所定数の静止画像のデータは、消去せずにそのままにしておく。
【００２９】
またさらに静止画像抽出部２０１は、静止画像取得の操作入力情報を受信した時間を起点として、計時部２０３が所定時間毎に出力する計時信号に基づいて新たな静止画像を抽出する。そして静止画像抽出部２０１は、この抽出した新たな静止画像のデータをＲＡＭ７０に追加的に出力（記憶）する。なお、静止画像取得の操作入力情報の受信よりも前に計時信号に応じて抽出した所定数の静止画像データ、および、静止画像を取得する操作入力の情報に応じて抽出した静止画像データは、ＲＡＭ７０に記憶したままにしておく。
【００３０】
そして、静止画像を取得する操作入力の情報受信した時間を起点として、所定時間毎に抽出した静止画像が所定数となったとき以降に、静止画像抽出部２０１は、ＯＳＤ生成部２０２に対してＲＡＭ７０に記憶した複数の静止画像のデータを出力して、これら出力した複数の静止画像を選択可能に提示する静止画像選択画面の（ＯＳＤによる）生成を要求する。
【００３１】
また静止画像抽出部２０１は、ＯＳＤ生成部２０２が生成した静止画像選択画面によって選択された静止画像のデータをＲＡＭ７０から読み出して、フラッシュメモリ７１に記憶する。
【００３２】
ＯＳＤ生成部２０２は、静止画像抽出部２０１から入力された複数の静止画像のデータを元に、これら複数の静止画像を選択可能に提示する静止画像選択画面をＯＳＤとして生成して表示器６１へ出力する。
【００３３】
計時部２０３は、クロック生成部（不図示）によって生成される一定周期のクロック信号に基づいて、所定時間間隔で計時信号を静止画像抽出部２０１へ出力する。
すなわち、動画像から静止画像を抽出する処理は、静止画像抽出部２０１が計時部２０３から入力された計時信号と操作部３１またはリモコンＲＣから受信した操作入力の情報とに基づいて、表示器６１に表示された動画像から複数の静止画像を抽出してＲＡＭ７０に一時的に記憶する動作である。
【００３４】
そして提示された複数の静止画像から任意の静止画像を選択する処理は、静止画像抽出部２０１が所定数の静止画像を抽出したときに、ＯＳＤ生成部２０２によって生成させた静止画像選択画面で選択された静止画像のデータをＲＡＭ７０から読み出してフラッシュメモリ７１に記憶する動作である。
【００３５】
なおこれらの処理は、操作部３１またはリモコンＲＣからの操作入力の情報に応じて行われる。
次に図３を用いて、受光部３２が受信する操作入力の情報を発するリモコンＲＣに設けられる複数の操作キーを説明する。
図３は、リモコンＲＣに設けられる複数の操作キーを示す図である。
利用者は、メインメニューキー３０１やクイックメニューキー３０２により表示器６１にメニュー画面を表示させ、続いて上下左右の方向キー３０６により選択肢を選択し、決定キー３０７により選択結果を確定させる。
【００３６】
また、戻るキー３０４は直前に表示されていた画面に戻すために操作され、終了キー３０５は操作の終了通知として操作される。
さらにチャンネルキー３０８は、放送波の選択やフォトフレーム機能としての静止画像の表示を終了するために操作される。
またリモコンＲＣにはスチルキー３０３が設けられ、表示器６１に表示されている動画像中でスチル画像(静止画像）として保存したい際にこのスチルキー３０３が押下されると、そのシーンでのスチル(静止画像）およびそのシーンの前後の静止画像が、内蔵のメモリ例えばＲＡＭ７０に一時的に保存される。
【００３７】
そして、このＲＡＭ７０に保存された複数の静止画像から選択された静止画像はフラッシュメモリ７１に登録（記憶）されて、フォトフレーム機能としての表示に利用される。
【００３８】
次に図４を用いて、図２で説明した各ブロックによって実行される処理であって、動画像から静止画像を抽出する処理、および、提示された複数の静止画像から任意の静止画像を選択する処理を説明する。
【００３９】
図４は、動画像から静止画像を抽出する処理、および、提示された複数の静止画像から任意の静止画像を選択する処理のフローチャートである。
まず静止画像抽出部２０１は、表示された動画像から所定時間毎に静止画像を抽出して一時的に記憶する（Ｓ４０１）。そして、リモコンＲＣなどに設けられたスチルキー３０３が押下されなければ（Ｓ４０２のＮ）静止画像の抽出（Ｓ４０１）を継続する。なお記憶した静止画像の数量が所定数を超える場合は、最も古いものから順に消去する。一方、スチルキー３０３が押下された場合（Ｓ４０２のＹ）、スチルキー押下の情報を受信した時点の静止画像を抽出して一時的に記憶する（Ｓ４０３）。なお、スチルキー押下時点までに抽出して記憶した所定数以下の静止画像は保持したままとして、スチルキー押下時点で抽出した静止画像は追加的に記憶される。
【００４０】
さらに静止画像抽出部２０１は、スチルキー押下時点を起点として、再び所定時間毎に静止画像を抽出して一時的に記憶する（Ｓ４０４）。なお、スチルキー押下時点より以前に抽出して記憶した複数の静止画像は保持したままとして、スチルキー押下時点より後に抽出した静止画像は追加的に記憶される。そしてスチルキー押下時点より後に抽出した静止画像の数量が所定数を超えなければ（Ｓ４０５のＮ）、静止画像の抽出（Ｓ４０４）を継続する。一方、所定数を越えた場合（Ｓ４０５のＹ）、これまでに抽出して記憶した静止画像の登録を確認する画面を提示する（Ｓ４０６）。
【００４１】
そして静止画像の登録を行わないことが選択された場合（Ｓ４０６のＮ）、記憶した複数の静止画像を全て消去して、静止画像の登録を中止する（Ｓ４１０）。一方、静止画像の登録を行うことが選択された場合（Ｓ４０６のＹ）、スチルキー押下時点を含む前後の動画像から抽出されて記憶された複数枚の静止画像を選択可能に表示する画面を提示する（Ｓ４０７）。
【００４２】
そして表示された複数の静止画像の中から登録する静止画が選択されなかった場合（Ｓ４０８のＮ）、記憶した複数の静止画像を全て消去して、静止画像の登録を中止する（Ｓ４１０）。一方、登録する静止画像が選択された場合（Ｓ４０８のＹ）、選択された静止画像を登録する（Ｓ４０９）と共に記憶した複数の静止画像を全て消去する。
【００４３】
なお、抽出された静止画像は図２のＲＡＭ７０などを利用して一時記憶され、表示された複数の静止画像から選択された静止画像は図２のフラッシュメモリ７１などを利用して登録（記憶）される。
【００４４】
また、スチルキー押下時点までに記憶される静止画像の所定数および、スチルキー押下時点より後に記憶される静止画像の所定数は、利用者によって任意に、また、それぞれ個別に変更可能な形態であってよい。
【００４５】
さらにスチルキー押下時点までに周期的に静止画像を抽出するための所定時間および、スチルキー押下時点より後に周期的に静止画像を抽出するための所定時間は、利用者によって任意に、また、それぞれ個別に変更可能な形態であってよい。
【００４６】
次に図５を用いて、図４で説明した、動画像から静止画像を抽出する処理、および、提示された複数の静止画像から任意の静止画像を選択する処理を概念的に説明する。
【００４７】
図５は、図４で説明した動画像から静止画像を抽出する処理、および、提示された複数の静止画像から任意の静止画像を選択する処理の概念的なタイムチャートである。
【００４８】
図５に示すように、表示されている動画像には静止画像Ａ〜Ｉが含まれている。
そして静止画像Ａ〜Ｄが含まれる動画像の間では、所定時間Ｔｔｋ１間隔の取り込みクロックが、計時信号として計時部２０３から出力される。すなわち静止画像抽出部２０１は、入力された取り込みクロックに基づいて所定時間Ｔｔｋ１毎に静止画像Ａ、Ｂ、Ｃ、Ｄを順次抽出して一時的に記憶する。
【００４９】
なお静止画像Ａを抽出した時点では、それまでに記憶していた静止画像のうち最も古いものを消去して、最新の静止画像として静止画像Ａが一時的に記憶される。また静止画像Ｂ、Ｃ、Ｄを抽出した時点でも同様に、それぞれの時点で最も古い静止画像が消去されて、静止画像Ｂ、Ｃ、Ｄそれぞれが最新の静止画像として一時的に記憶される。
【００５０】
つまり静止画像Ａ〜Ｄが含まれる動画像の間では、所定時間Ｔｔｋ１間隔で静止画像を抽出して、最大で３つの静止画像を記憶している状態である。
具体的には、静止画像Ｃを抽出した時点では、古い順に静止画像Ａ、Ｂ、Ｃの３つが記憶された状態であり、静止画像Ｃを抽出した時点から所定時間Ｔｔｋ１が経過して静止画像Ｄを抽出した時点では、最も古い静止画像である静止画像Ａが消去されて、古い順に静止画像Ｂ、Ｃ、Ｄの３つが記憶された状態となる。
【００５１】
そして静止画像Ｄを抽出した時点から所定時間Ｔｔｋ１が経過する前に、リモコンＲＣなどに設けられたスチルキー３０３による静止画像を取得する操作入力の情報を受信すると、この時点での静止画像Ｅが抽出されて記憶される。なお、スチルキー３０３に応じて抽出された静止画像Ｅは、それまでに記憶していた静止画像Ｂ、Ｃ、Ｄを記憶したま追加的に記憶される。
【００５２】
さらに静止画像Ｅを抽出した時点より後の静止画像Ｆ〜Ｉが含まれる動画像の間では、所定時間Ｔｔｋ２間隔の取り込みクロックに基づいて、所定時間Ｔｔｋ２毎に静止画像Ｆ〜Ｉを順次抽出して一時的に記憶する。なお、静止画像Ｅを抽出した時点より後に記憶する静止画像は、それまでに記憶していた静止画像Ｂ、Ｃ、Ｄ、Ｅを記憶したま追加的に記憶される。
【００５３】
つまり静止画像Ｆ〜Ｉが含まれる動画像の間では、所定時間Ｔｔｋ２間隔で静止画像を抽出して、スチルキー３０３に応じて抽出された静止画像より後には、最大で２つの静止画像を追加的に記憶する状態である。なお２つの静止画像Ｆ，Ｇを抽出して記憶した時点で、静止画像Ｂ〜Ｇを全て選択可能に提示する画面を提示する。
【００５４】
またこの画面を提示している間に、静止画像Ｇを抽出した時点から所定時間Ｔｔｋ２が経過した時点では静止画像Ｈを抽出して記憶するが、静止画像Ｂ〜Ｇを選択可能に提示する画面によって選択／非選択が確定されていなければ、静止画像Ｂ〜Ｇは記憶したままとなる。なお、静止画像Ｂ〜Ｇを選択可能に提示する画面によって選択／非選択が確定されて所定の処理が完了した時点で、静止画像Ｂ〜Ｇは消去されてよい。
【００５５】
なお所定時間Ｔｔｋ１と所定時間Ｔｔｋ２は、同一時間としてもよいし異なる時間としてもよい。
次に、一時記憶された複数枚の静止画像を選択可能に表示する画面を、図６を用いて説明する。
図６は、一時記憶された複数枚の静止画像を選択可能に表示する画面の一実施形態を示す図である。
図６に示す画面では、スチルキー押下時点を含む前後の時間に抽出した複数の静止画像が選択可能にサムネイル形式で表示される。そして選択された静止画像は、当該静止画像の輪郭部分の強調表示や当該静止画像の色を他の静止画像と識別可能にした異色表示などにより、選択された状態を示している。
【００５６】
また、選択された静止画像の放送日時や放送局、チャンネル、タイトル、出演者などの番組関連情報が表示される領域や、静止画像を登録した場合のファイル番号やファイル名などのファイル情報が表示される領域などが設けられている。さらに、表示された静止画像の選択、選択の確定、画面消去のためのキャンセルなどのためのリモコンＲＣ上の操作キーの操作ガイド情報が表示される領域も設けられる。
【００５７】
なお、一時記憶された複数枚の静止画像を選択可能に表示する画面は、図６に示すレイアウトに限定されるものでないことは言うまでもない。
次に図７により、登録された静止画像をフォトフレーム機能として表示する処理を説明する。
図７は、登録された静止画像をフォトフレーム機能として表示する処理のフローチャートである。
リモコンＲＣに設けられたメインメニューキー３０１やクイックメニューキー３０２が押下されたとき（Ｓ７０１のＹ）に提示されるメニュー画面により、フォトフレーム機能の動作（処理）の実行が選択されると（Ｓ７０２のＹ）、登録された静止画像があるかを確認する（Ｓ７０３）。なお、メインメニューキー３０１やクイックメニューキー３０２が押下されなければ（Ｓ７０１のＮ）、これらのキーの押下待ち（Ｓ７０１）を繰り返す。また、提示されたメニュー画面によりフォトフレーム機能が選択されない場合（Ｓ７０２のＮ）は、フォトフレーム機能の選択待ち（Ｓ７０２）を繰り返す。
【００５８】
なお、（Ｓ７０１のＹ）により提示されたメニュー画面では、フォトフレーム機能の他にも様々な機能が選択可能であり、フォトフレーム機能ではない他の機能が選択されたときには、それぞれの機能による動作が行われることはいうまでもない。
【００５９】
そして、フォトフレーム機能が選択されたが登録された静止画像がない場合（Ｓ７０３のＮ）は、装置製造時に登録されていたデフォルトの静止画像を表示する（Ｓ７０７）。一方、登録された静止画像がある場合（Ｓ７０３のＹ）は、登録されている静止画像をＯＳＤにより提示して（Ｓ７０４）、リモコンＲＣに設けられた上下左右の方向キー３０６や決定キー３０７により任意の静止画像を選択する（Ｓ７０５）。そして、この選択された静止画像を表示する（Ｓ７０７）。
【００６０】
なお、（Ｓ７０７）により表示された静止画像には、時計やカレンダー、天気予報、または当該静止画像を番組などの動画像から抽出したときに併せて抽出された番組タイトルなどの番組関連情報などの付加的な情報が重畳されてもよい。
【００６１】
また、（Ｓ７０７）により表示された静止画像が所定時間表示された後に、他の動作（例えば装置の電源自動ＯＦＦなど）が行われる実施形態でもよい。なお静止画像を表示する所定時間は変更可能であってもよい。
【００６２】
さらに、（Ｓ７０５）により選択される静止画像は複数であってもよく、複数の静止画像が選択された場合には、これら複数の静止画像が順次表示され、さらに静止画像が切り替わる際には、フェードイン／アウトやスライドイン／アウトなど様々な手法が用いられる実施形態でもよい。
【００６３】
なお、これまでに説明した動画像から静止画像を抽出する処理における抽出対象の動画像は、表示器に出力される映像信号を並列的に利用する形態であってもよいし、また表示器で表示可能な映像信号となる前の、例えばＭＰＥＧフォーマットによるＧＯＰレイヤで定義されるＩピクチャなどの映像フレームデータを利用する形態であってもよい。
【００６４】
また、これまでの説明では、静止画像を一時的に記憶するためにＲＡＭを利用し、フォトフレーム機能として表示する静止画像を登録するためにフラッシュメモリを利用する実施形態であったが、それぞれの用途のために図示しない装置内蔵のＨＤＤを利用する実施形態や、ＲＡＭ、フラッシュメモリ以外の半導体メモリを利用する実施形態であってもよい。
【００６５】
さらにまた、これまでに複数の図を用いて説明した、一時記憶された複数枚の静止画像を選択可能に表示する画面では、スチルキー押下時点に抽出された静止画像およびスチルキー押下時点の前後に抽出された静止画像が表示される実施形態であった。しかし、スチルキー押下時点以前に抽出された静止画像のみが表示される形態、または、スチルキー押下時点以降に抽出された静止画像のみが表示される形態であってもよい。そして、一時記憶された静止画像の数量と、一時記憶された複数枚の静止画像を選択可能に表示する画面において表示される静止画像の数量は、一致しなくてもよいことはいうまでもない。
【００６６】
またこれまでの説明では、スチルキー押下に応じて静止画像を抽出した時点以降に静止画像を抽出するために依拠する取り込みクロックは、スチルキー押下を起点として出力される実施形態であったが、スチルキー押下の直前に出力された取り込みクロックを起点として出力される実施形態であってもよい。すなわちこの実施形態において静止画像は、スチルキー押下の情報、スチルキー押下のタイミングに依存しない取り込みクロックに基づいて抽出されることになる。
【００６７】
以上説明したように本実施形態によれば、表示された動画像から所定時間間隔で静止画像を順次抽出し、この抽出した静止画像の数量が所定数となるように順次更新して記憶する。さらに任意のタイミングでの静止画像抽出の要求に応じても静止画像を抽出して記憶する。またさらに静止画抽出要求の後にも所定時間間隔で静止画像を新たに順次抽出し、この新たに抽出した静止画像の数量が所定数となるように順次更新して記憶する。そして、これら静止画像抽出の要求前後のタイミングでの複数の静止画像が選択可能に提示されるので、静止画像の取り込み指示がなされた時点より以前に出力された動画像であって、繰り返し再生ができない動画像の中から所望の静止画像を抽出することができる。
【００６８】
また本発明は、上述した実施形態に限定されるものではなく、本発明の要旨を変えない範囲において、種々の変更、改変等が可能である。
【符号の説明】
【００６９】
１０…テレビジョン受像機、２０…放送波処理部、２１…外部信号入力部、３１…操作部、３２…受光部、４０…信号処理制御部、５１…ネットワークＩＦ部、５２…外部機器ＩＦ部、６１…表示器、６２…スピーカ、７０…ＲＡＭ、７１…フラッシュメモリ、ＲＣ…リモコン、２０１…静止画像抽出部、２０２…ＯＳＤ生成部、２０３…計時部。
【図１】
2010239213.tif 000003
【図２】
2010239213.tif 000004
【図３】
2010239213.tif 000005
【図４】
2010239213.tif 000006
【図５】
2010239213.tif 000007
【図６】
2010239213.tif 000008
【図７】
2010239213.tif 000009